(57)【特許請求の範囲】
【請求項１】
携帯型情報処理装置本体部と、前記本体部にヒンジによって開閉可能に取り付けられ、外殻の少なくとも一部が金属製のディスプレイキャビネットで構成されたディスプレイ装置と、前記ディスプレイキャビネットの外側に着脱可能に取り付けられる非金属製のアンテナカバーと、前記ディスプレイキャビネットと前記アンテナカバーの間に配置される伸縮可能な通信用のアンテナとを備えたことを特徴とする携帯型情報処理装置。
【請求項２】
ヒンジ部分を覆い隠すように携帯型情報処理装置本体部に設けられたヒンジカバーに隣接する部位まで、ディスプレイ装置のアンテナカバーを延長することを特徴とする請求項１記載の携帯型情報処理装置。
【請求項３】
ヒンジカバーを携帯型情報処理装置の本体部に着脱可能に取り付けるとともに、前記ヒンジカバーに隣接する部位に前記本体部の外部より着脱可能な通信制御回路を配置することを特徴とする請求項２記載の携帯型情報処理装置。
【請求項４】
ディスプレイ装置を開けた状態で天面となる位置にアンテナの受電部が配置され、少なくとも前記受電部からの信号線が、ディスプレイキャビネットに形成される凹部に配線されることを特徴とする請求項１記載の携帯型情報処理装置。
【請求項５】
アンテナカバーが弾性体で構成されていることを特徴とする請求項１記載の携帯型情報処理装置。
【発明の詳細な説明】
【０００１】
【発明の属する技術分野】
本発明はノート型パソコンのような携帯型情報処理装置に関し、詳しくは、通信のためのアンテナを内蔵し、ワイアレス通信を可能とした携帯型情報処理装置に関するものである。
【０００２】
【従来の技術】
近年、情報化社会の進展により、屋外にあっても、携帯電話などと携帯型情報処理装置を接続し、ワイアレス通信でのデータ送受信を行う機会が増えている。さらには、携帯型情報処理装置自体にアンテナを取り付け、携帯電話などのワイアレス通信手段をも内蔵した装置が増えてきている。一方では、通信規格・通信サービス事業体が数多く存在している。そのため、アンテナの規格の統一も困難であるため、携帯型情報処理装置に様々な種類のアンテナを容易に組み込む技術が要求されている。
【０００３】
以下、従来の携帯型情報処理装置について図を用いて説明する。
【０００４】
図２は従来の携帯型情報処理装置の分解斜視図である。図２において、３１はディスプレイ装置であり、その外殻をディスプレイリアキャビ３２とディスプレイフロントキャビ３３によって構成している。近年、ディスプレイ装置の大画面化が進み、一方では、装置全体の小型軽量化が進んだため、屋外での使用機会が増大しており、屋外での使用時の衝撃などから、ディスプレイ装置の損傷を防止し、また装置内部を電磁波シールドするために、ディスプレイリアキャビ３２はマグネシウム金属などの軽量な金属で構成されている。ディスプレイリアキャビ３２は回動可能なヒンジ（図示せず）によって、携帯型情報処理装置本体部３４に固定されている。ヒンジが取り付けられている部分にはヒンジカバー３５が取り付けられている。ディスプレイリアキャビ３２とディスプレイフロントキャビ３３の間には、伸縮可能なアンテナユニット３６が挟み込まれるように取り付けられており、ディスプレイ装置を開けた状態で、天面に位置する部分にアンテナの受電部３６ａが配置されるようになっている。アンテナ受電部３６ａからの信号線３６ｂは、ディスプレイリアキャビ３２とディスプレイフロントキャビ３３の間の空間を配線され、ヒンジとヒンジカバー３５の間を介して、携帯型情報処理装置本体部３４に結線される。本体部３４内部には、回路基板３７があり、この回路基板３７上に、通信制御回路３８が接続固定されており、前述の信号線３６ｂの片側がこれに接続される。
【０００５】
【発明が解決しようとする課題】
しかし、このような上記従来の携帯型情報処理装置では、市場の様々な通信規格に対応して、アンテナを配置するためには、ディスプレイ装置、携帯型情報処理装置本体部を大幅に分解・組立する必要があった。分解・組立には高度な技術が要求されるため、市場の様々な通信規格に対応して、迅速に顧客の要望に応じることが困難であった。また、携帯型情報処理装置の金属筐体によって電磁波シールドされた内部にアンテナが配置されるため、携帯型情報処理装置内部の電磁波ノイズによる悪影響で、アンテナの良好な特性を確保することが困難であった。
【０００６】
本発明は、上記従来の課題を解決するもので、市場の様々な仕様のアンテナとその通信制御回路を、装置を大幅に分解することなく、かつ、特性を安定させた状態で迅速に実現することを目的とする。
【０００７】
【課題を解決するための手段】
上記課題を解決するために、本発明の携帯型情報処理装置では、外殻の少なくとも一部が金属製のディスプレイキャビネットで構成されたディスプレイ装置のディスプレイキャビネットの外側に非金属製のアンテナカバーを着脱可能に取り付け、ディスプレイキャビネットとアンテナカバーの間に伸縮可能な通信用のアンテナを配置し、さらに、ヒンジカバーを携帯型情報処理装置の本体部に着脱可能に取り付けるとともに、ヒンジカバーに隣接する部位に本体部の外部より着脱可能な通信制御回路を配置したものである。
【０００８】
上記構成とすることにより、通信規格の異なった様々なアンテナユニットを携帯型情報処理装置に取り付ける際には、アンテナカバー、ヒンジカバー、および、携帯型情報処理装置本体の一部を交換するだけで、アンテナ、および、通信制御回路の交換が可能となる。また、アンテナユニットが携帯型情報処理装置内部の電磁波がシールドされた部分に配置されることから、アンテナの特性に与える影響を少なくすることが可能となる。
【０００９】
【発明の実施の形態】
本発明の請求項１に記載の発明は、携帯型情報処理装置本体部と、前記本体部にヒンジによって開閉可能に取り付けられ、外殻の少なくとも一部が金属製のディスプレイキャビネットで構成されたディスプレイ装置と、前記ディスプレイキャビネットの外側に着脱可能に取り付けられる非金属製のアンテナカバーと、前記ディスプレイキャビネットと前記アンテナカバーの間に配置される伸縮可能な通信用のアンテナとを備えたことを特徴とする携帯型情報処理装置であり、様々な通信規格のアンテナを、装置を大幅に分解することなく迅速に交換することができ、さらに、携帯型情報処理装置内部の電磁波ノイズによる悪影響を防止し、アンテナの良好な特性の確保が可能という作用を有する。
【００１０】
本発明の請求項２に記載の発明は、請求項１記載の携帯型情報処理装置において、ヒンジ部分を覆い隠すように携帯型情報処理装置本体部に設けられたヒンジカバーに隣接する部位まで、ディスプレイ装置のアンテナカバーを延長することを特徴とするもので、アンテナカバーを取り外せばケーブルを含めたアンテナブロックのほぼ全体を露出させられるため、アンテナの交換がさらに容易になるという作用を有する。
【００１１】
本発明の請求項３に記載の発明は、請求項２記載の携帯型情報処理装置において、ヒンジカバーを携帯型情報処理装置の本体部に着脱可能に取り付けるとともに、前記ヒンジカバーに隣接する部位に前記本体部の外部より着脱可能な通信制御回路を配置することを特徴とするもので、ヒンジカバーおよび通信制御回路をも着脱可能にすることで、装置を大幅に分解することなく最小限の部品の着脱でアンテナを迅速に交換できるという作用を有する。
【００１２】
本発明の請求項４に記載の発明は、請求項１記載の携帯型情報処理装置において、ディスプレイ装置を開けた状態で天面となる位置にアンテナの受電部が配置され、少なくとも前記受電部からの信号線が、ディスプレイキャビネットに形成される凹部に配線されることを特徴とするもので、ケーブルなどが保持できるため、アンテナカバーの着脱時の挟み込みなどがなく、ケーブルなどに損傷を与えることがないという作用を有する。
【００１３】
本発明の請求項５に記載の発明は、請求項１記載の携帯型情報処理装置において、アンテナカバーが弾性体で構成されていることを特徴とするアンテナカバーが弾性体で構成されていることを特徴とするもので、屋外での使用時などにディスプレイ装置が被る衝撃を吸収でき、また、逆に携帯型情報処理装置が相手物に損傷を与えることがないという作用を有する。
【００１４】
以下、本発明の実施の形態について、図を用いて説明する。
【００１５】
（実施の形態１）
図１は本発明の一実施の形態の携帯型情報処理装置の分解斜視図である。図１において、１はディスプレイ装置であり、その外殻をディスプレイリアキャビ２とディスプレイフロントキャビ３によって構成されている。ディスプレイリアキャビ２はマグネシウム金属などの軽量な金属で構成されている。ディスプレイリアキャビ２は回動可能なヒンジ（図示せず）によって、携帯型情報処理装置本体部４に固定されている。ヒンジが取り付けられている部分にはヒンジカバー５が取り付けられている。ディスプレイリアキャビ２の両側面部分の外側には、アンテナカバー６がこれに着脱可能に取り付けられている。アンテナカバー６は非金属の弾性体で構成されており、その一端がヒンジカバー５に隣接しており、ディスプレイリアキャビ２の両側の側面に配置されている。ディスプレイリアキャビ２には凹部２ａが設けられており、この凹部２ａとアンテナカバー６とで形成される空間に伸縮可能なアンテナユニット７が配置される。アンテナユニット７は、その受電部７ａが、ディスプレイブロックを開けた状態で、その天面付近に配置され、受電部７ａからの信号線はディスプレイリアキャビ２の凹部２ａに配線される。一方、携帯型情報処理装置本体部４には、回路基板８が配置されており、ヒンジカバー５に隣接する部位の底キャビネット９の一部が着脱可能になっている。この部分には、通信制御回路１０が配置されており、回路基板８に着脱可能に接続固定されている。また、アンテナユニット７からの信号線７ｂは、ヒンジとヒンジカバー５の間を介してこの通信制御回路１１に接続される。
【００１６】
以上のように構成された本発明の携帯型情報処理装置について、以下その動作を説明する。様々な仕様の通信規格に対応するためアンテナを交換する場合、まず、アンテナカバー６を取り外し、さらに、ヒンジカバー５と底キャビネット９を取り外す。その後、アンテナユニット７および信号線７ｂをディスプレイリアキャビ２の凹部２ａから取り出し、携帯型情報処理装置本体部４の底キャビネット９から通信制御回路１０を取り外す。そして、交換するアンテナユニットを逆の手順で組み付ける。
【００１７】
本構成であれば、ヒンジカバー５と、アンテナカバー６を外部より取り外し、携帯型情報処理装置本体部４の底キャビネット９を取り外すだけで、通信制御回路１０、アンテナユニット７を容易に交換可能である。また、アンテナユニット７および、受電部７ａからの信号線７ｂが、携帯型情報処理装置内部から電磁的にシールドされることから携帯型情報処理装置内部の情報処理装置が発生する有害な電磁波の影響を受けにくくアンテナ特性上有利である。また、アンテナカバー６が弾性体で構成されていることから、屋外使用時、可搬時の衝撃からディスプレイ装置を保護し、装置への傷付きを防止する。また、逆に携帯型情報処理装置が相手物に損傷を与えることもない。
【００１８】
【発明の効果】
以上のように本発明によれば、携帯型情報処理装置を大幅に分解することなく迅速に通信制御基板、アンテナユニットの交換が可能であるため、多様化する通信市場の要求に対して、迅速に対応することが可能となる。携帯型情報処理装置の電磁波ノイズに対しても、携帯型情報処理装置の電磁波シールドの外側にアンテナを構成することが可能となり、良好なアンテナ特性を得ることが可能となる。
【図面の簡単な説明】
【図１】本発明の一実施の形態の携帯型情報処理装置の分解斜視図
【図２】従来の携帯型情報処理装置の分解斜視図
【符号の説明】
１  ディスプレイ装置
２  ディスプレイリアキャビ
３  ディスプレイフロントキャビ
４  携帯型情報処理装置本体部
５  ヒンジカバー
６  アンテナカバー
７  アンテナユニット
７ａ  受電部
７ｂ  信号線
９    底キャビネット
１０  通信制御回路
【図１】
0003567883.tif 000002
【図２】
0003567883.tif 000003